(57)【要約】【課題】運搬取り外しが容易な間仕切り壁を供給する。【解決手段】間仕切り壁１０は、支柱４０の間のパネルを上部パネル２０と下部パネル３０の二つの部材に分割されている。このため、それぞれの部材の小型化することができ、運搬が容易である。また、上部パネル２０に設けられた嵌合凹部２２と下部パネル３０に設けられた嵌合凹部２２に支柱４０に設けられた嵌合凸部４２を嵌合させることにより、容易に上部パネル２０及び下部パネル３０と支柱４０と嵌合させることができる。このとき、下部パネル３０には、貫通縦孔３６及び貫通横孔３８が設けられているため、同様の材質及び大きさのパネルに比べて、軽量化することができる。更に、上部パネル２０と下部パネル３０とを自由に組み合わせることができるため、パネルが１枚の場合に比べて、より様々なバリエーションを提供することができる。【選択図】図２
2010095886.tif 000002
【特許請求の範囲】
【請求項１】
両辺に設けられた第１嵌合部と、対向する辺と辺との間を貫通する１又は２以上の貫通孔と、を有する第１パネルと、
両辺に設けられた第２嵌合部を有し、前記第１パネルの上方位置に取り外し可能に配置される第２パネルと、
前記第１嵌合部及び前記第２嵌合部と嵌合する第３嵌合部を有する支柱と、
を備え、
前記第１嵌合部及び前記第２嵌合部の少なくとも一部が第３嵌合部に挿入されること、又は、前記第３嵌合部の少なくとも一部が前記第１嵌合部及び前記第２嵌合部に挿入されることにより嵌合する、
間仕切り壁。
【請求項２】
請求項１に記載の間仕切り壁であって、
前記第３嵌合部と前記第１嵌合部又は前記第２嵌合部とを連接する連通孔と、
前記連通孔に挿入され、前記支柱と前記第１パネル又は前記第２パネルとのそれぞれを固定する固定部材と、
を備えた間仕切り壁。
【請求項３】
前記第３嵌合部は、前記支柱に取り付けられた略Ｔ字形状の金属製部材であり、
前記第１嵌合部及び前記第２嵌合部は、木製の溝状に形成されている、
請求項１又は２に記載の間仕切り壁。
【請求項４】
前記木製の溝は、前記第３嵌合部の突部の幅よりも太い幅の溝である、
請求項３に記載の間仕切り壁。
【請求項５】
前記第１パネル、前記第２パネル及び前記支柱は、それぞれ間伐材が用いられている、
請求項１〜４のいずれか１項に記載の間仕切り壁。
【請求項６】
前記第２パネルは、電源ケーブルを有する電気機器を有している、
請求項１〜５のいずれか１項に記載の間仕切り壁。
【発明の詳細な説明】
【技術分野】
【０００１】
本発明は、間仕切り壁に関する。
【背景技術】
【０００２】
従来より、部屋の間仕切りや壁等に使用する間仕切り壁が知られている。例えば、特許文献１には、パネル部材と接合部材とを備えた間仕切り壁が記載されている。この間仕切り壁では、接合部材に設けられた円錐台状の接合具をパネル部材に設けられた接合凹部材に嵌合させることにより、複数のパネル部材をつなぎ合わせている。
【特許文献１】特開平１０−１２１６０９
【発明の開示】
【発明が解決しようとする課題】
【０００３】
こうした間仕切り壁では、パネル部材が１枚の部材で形成されているため、１枚のパネル部材が大きく且つ重くなってしまい運搬及び組み立てに不便である。しかも、パネル部材が１枚の部材で形成されているため、パネル部材のバリエーションが乏しいという問題点がある。
【０００４】
本発明は、このような課題に鑑みなされたものであり、パネル部材を小型・軽量化することで運搬及び組み立てを容易にすると共に、パネル部材の組み合わせバリエーションが豊富な間仕切り壁を提供することを主目的とする。
【課題を解決するための手段】
【０００５】
本発明は、上述の目的の少なくとも一つを達成するために以下の手段を採った。
【０００６】
本発明の間仕切り壁は、両辺に設けられた第１嵌合部と、対向する辺と辺との間を貫通する１又は２以上の貫通孔と、を有する第１パネルと、両辺に設けられた第２嵌合部を有し、前記第１パネルの上方位置に取り外し可能に配置される第２パネルと、前記第１嵌合部及び前記第２嵌合部と嵌合する第３嵌合部を有する支柱と、を備え、前記第１嵌合部及び前記第２嵌合部の少なくとも一部が第３嵌合部に挿入されること、又は、前記第３嵌合部の少なくとも一部が前記第１嵌合部及び前記第２嵌合部に挿入されることにより嵌合する。
【０００７】
このように、第１パネルに貫通孔を有しているため、第１パネルを軽量化することができ、第１パネルと第２パネルとの二つのパネルにすることにより、１枚のパネルの場合に比べて小型化することができる。このため、運搬が容易である。また、第１パネルと第２パネルとの二つのパネルの凹部に支柱の凸部を嵌合させることにより、容易に第１パネル及び第２パネルと支柱とを嵌合させることができる。更に、第１パネルと第２パネルとを自由に組み合わせることができるため、パネルが１枚の場合に比べ、様々なバリエーションの間仕切り壁を提供することができる。
【０００８】
本発明の間仕切り壁において、前記第３嵌合部と前記第１嵌合部又は前記第２嵌合部とを連接する連通孔と、前記連通孔に挿入され、前記支柱と前記第１パネル又は前記第２パネルとのそれぞれを固定する固定部材と、を備えていても良い。こうすれば、固定部材により第１パネル及び第２パネルと支柱とをより強固に固定することができるため、第１パネル及び第２パネルと支柱とが外れてしまう可能性を低減することができる。
【０００９】
本発明の間仕切り壁において、前記第３嵌合部は、前記支柱部に取り付けられた略Ｔ字形状の金属製部材であり、前記第１嵌合部及び前記第２嵌合部は、木製の溝状に形成されていてもよい。このように第３嵌合部を突部を有する略Ｔ字状の金属製部材にすることにより、嵌合部に十分な強度を持たせることが可能である。また、木製の溝の幅を金属製部材の突部の幅よりも薄くした場合には、木材製の溝がたわむことにより木製の溝の両側が金属製部材を強固に挟み込み、第１パネル及び第２パネルと支柱とが外れてしまう可能性をより低減することができる。
【００１０】
本発明の間仕切り壁において、前記木製の溝は、前記第３嵌合部の幅よりも厚い幅の溝であってもよい。こうすれば、溝の中に第３嵌合部を挿入しやすい。また、溝の中に第３嵌合部を挿入した後、溝の両面を内側に押圧した状態で固定した場合には、木製の溝がたわむことで第３嵌合部をしっかりと固定することができるため、第１パネル及び第２パネルと支柱とが外れてしまう可能性をより低減することができる。
【００１１】
本発明の間仕切り壁において、前記第１パネル、前記第２パネル及び前記支柱は、それぞれ間伐材が用いられていてもよい。こうすれば、上述した木材製であることの性質である「たわみ」を活かしつつ、環境に資することができる。
【００１２】
本発明の間仕切り壁において、前記第２パネルは、電源ケーブルを有する電気機器を有していてもよい。こうすれば、第１パネルに備えられた貫通孔に電源ケーブルを通すことで、電気機器の電源ケーブルが外部に露出して美観を損なうことを防ぎ、美観を保つことができる。
【発明を実施するための最良の形態】
【００１３】
次に、本発明の実施の形態を図面に基づいて説明する。図１は、本発明の間仕切り壁の組み合わせの一例を示す斜視図であり、図２は、本発明の間仕切り壁の分解斜視図であり、図３は、本発明の間仕切り壁を上面、正面、右面から見た３面図である。
【００１４】
ここで、本実施形態の構成要素と本発明の構成要素との対応関係を明らかにする。本実施形態の下部パネル３０が本発明の第１パネルに相当し、上部パネル２０が第２パネルに相当し、貫通縦孔３４及び貫通横孔３６が貫通孔に相当し、嵌合凹部２２が第２嵌合部に相当し、嵌合凹部３２が第１嵌合部に相当し、嵌合凸部４２が第３嵌合部に相当し、ビス５０が固定部材に相当する。なお、本実施形態では、間仕切り壁１０の組み立て方法を説明することにより本発明の使用方法の一例も明らかにしている。
【００１５】
本実施形態の仕切り壁１０は、図１に示すように、嵌合凹部２２とホワイトボード２６とを有する上部パネル２０と、嵌合凹部３２と貫通縦孔３６と貫通横孔３８とを有する下部パネル３０（図２参照）と、嵌合凸部４２を有する支柱４０と、嵌合凹部２２と嵌合凸部４２とを固定するビス５０と、嵌合凹部３２と嵌合凸部４２とを固定するビス５０と、によって構成されている。この仕切り壁１０は、上部パネル２０及び下部パネル３０が両側に備えられた支柱４０で支えられている。このようにパネル部分が上部パネル２０と下部パネル３０との２つの部材で構成されているため、これらのパネルが単一の部材で構成されている場合と比べて、それぞれの部材の小型化・軽量化が可能となり、更に、２種類のパネルを用いることにより様々なバリエーションを提供することができる。
【００１６】
上部パネル２０は木材製であって、図１に示すように、左右両端部には嵌合凹部２２が設けられており、中央部にホワイトボード２６が設けられている。嵌合凹部２２は、上部パネル２０の上辺から下辺にかけて連続する溝であり、図２に示すように、この溝と直交する向きに連通孔２４が備えられている。この溝の幅は支柱４０に設けられた嵌合凸部２２の幅よりも僅かに広くなっている。このため、上部パネル２０と支柱４０とを嵌合する際、嵌合凹部２２の溝に嵌合凸部４２を容易に挿入することができる。
【００１７】
下部パネル３０は木材製であって、図１に示すように、左右両端部には嵌合凹部３２が設けられている。貫通縦孔３６は、上辺と下辺との間を貫通する断面が略円形形状の孔であり、貫通横孔３８は右辺と左辺との間を貫通する断面が略矩形形状の孔である。このように、下部パネル３０は複数の貫通孔を有しているため、同じ材質及び大きさのパネルと比較して、軽量であり、運搬及び取り外しが容易である。なお、嵌合凹部３２の構成は、上述した嵌合凹部２２と同様であるため、ここでは説明を省略する。
【００１８】
支柱４０は木材製であって、図１に示すように、側面に上辺から下辺まで連続する嵌合凸部４２を有している。この嵌合凸部４２は、略T字状に形成された金属製であり、支柱４０の外側方向に向かって突部が形成されている。嵌合凸部４２は、突部が金属製であるため、嵌合凸部４２が嵌合凹部２２又は嵌合凹部３２と嵌合した際に、十分な強度を保つことができる。また、この嵌合凸部４２の突部には、上述した嵌合凹部２２及び嵌合凹部３２と嵌合凸部４２とが嵌合した際、連通孔２４及び連通孔３４とそれぞれ連通する位置に連通孔４４が備えられている。
【００１９】
ビス５０は、図２に示すように、金属製の雄部５２と雌部５４との２つの部材によって構成されており、上述した連通孔２４、連通孔３４及び連通孔４４の直径よりも短い直径で形成されている。また、雄部５２と雌部５４とを噛合させた際の長さは、上部パネル２０及び下部パネル３０の厚さよりも長く形成されている。上述したように、嵌合凹部２２及び嵌合凹部３２と嵌合凸部４２とが嵌合した際、連通孔２４及び連通孔３４と連通孔４４とが連通するため、ビス５０を貫通孔２４等に差し込むことにより、上部パネル２０及び下部パネル３０と支柱４０とを強固に固定することができる。このとき、嵌合凹部２２及び嵌合凹部３２は木製の溝であるため、ビス５０の雄部５２と雌部５４とを強く噛合させると、木材製の溝がたわみ、金属製の嵌合凸部４２の突部を木製の溝が両側から強く挟み込むことになる。このため、上部パネル２０及び下部パネル３０と支柱４０とを強固に固定することができる。
【００２０】
以上詳述した本実施形態の間仕切り壁１０によれば、支柱４０の間のパネルを上部パネル２０と下部パネル３０の二つの部材に分割することにより、これらのパネルが単一の部材で構成されている場合と比べて、それぞれの部材の小型化することができる。このため、運搬が容易である。また、上部パネル２０に設けられた嵌合凹部２２と下部パネル３０に設けられた嵌合凹部２２に支柱４０に設けられた嵌合凸部４２を嵌合させることにより、容易に上部パネル２０及び下部パネル３０と支柱４０と嵌合させることができる。このとき、下部パネル３０には、貫通縦孔３６及び貫通横孔３８が設けられているため、同様の材質及び大きさのパネルに比べて、軽量化することができる。更に、上部パネル２０と下部パネル３０とを自由に組み合わせることができるため、パネルが１枚の場合に比べて、より様々なバリエーションを提供することができる。こうすることにより、運搬及び取り外しが容易で、バリエーションに富んだ間仕切り壁１０を提供することができる。
【００２１】
また、嵌合凹部２４及び嵌合凹部３４と嵌合凸部４４とが嵌合した際に連通する連通孔２４、連通孔３４及び連通孔４４を有し、これらの連通孔をビス５０で固定しているため、上部パネル２０及び下部パネル３０と支柱４０とをより強固に固定することができる。
【００２２】
更に、支柱４０は、金属製で略T字形状の嵌合凸部４２を備え、上部パネル２０及び下部パネル３０は木製の溝を有しているため、嵌合凸部４２の強度を十分確保しつつ、木製の溝がたわむことにより、突部をより強固に嵌合することができる。
【００２３】
更にまた、上部パネル２０及び下部パネル３０に有する木製の溝は、支柱４０に備えられた略T字形状の嵌合凸部４２の突部の幅よりも太い幅の溝であるため、上部パネル２０及び下部パネル３０と支柱４０とを嵌合させる際、嵌合凸部４２を溝に挿入しやすい。更に、ビス４０で上部パネル２０及び下部パネル３０と支柱４０とを固定した際には、木製の溝がたわむことにより、より強固に固定することができる。
【００２４】
なお、本発明は上述した実施形態に何ら限定されることはなく、本発明の技術的範囲に属する限り種々の態様で実施し得ることはいうまでもない。
【００２５】
例えば、上述した実施の形態では、上部パネル２０、下部パネル３０及び支柱４０を木材製であるものとしたが、木材製に限定されるものではなく、例えば、プラスチック製や金属製などであってもよい。この場合も、上述した実施の形態と同様の効果が得られる。更に、これらの材料として、間伐材を用いても良い。こうすれば、木材資源を有効に利用することができるため、環境に資することができる。
【００２６】
上述した実施の形態では、上部パネル２０はホワイトボード２６を有するものとしたが、左辺及び右辺に嵌合凹部を作ることができるものであれば、特に限定されるものではなく、例えば、黒板やコルク板、樹脂板、窓、ガラス板、障子紙などであっても良い。また、ホワイトボード２６は、液晶テレビやフラットテレビ、埋め込み型ステレオセットなどの電源ケーブルによって電力が供給される電気機器であってもよい。このような場合には、電源ケーブルを下部パネル３０に備えられた貫通縦孔を通すことにより、電源ケーブルが間仕切り壁１０の外部に露出し、美観を損ねることを防ぐことができる。
【００２７】
上述した実施の形態では、上部パネル２０を下部パネル３０の上方位置に配置するものとしたが、上部及び下部という語は実施の形態の説明に用いたのみであり、下部パネル３０を上部パネル２０の上方位置に配置しても良い。この場合でも、上述した実施の形態と同様の効果が得られる。
【００２８】
上述した実施の形態では、上部パネル２０と下部パネル３０との２種類のパネルを配置するものとしたが、上部パネル２０と上部パネル２０との組み合わせや、下部パネル３０と下部パネル３０との組み合わせのように、同種のパネルを２枚組み合わせても良く、３枚以上のパネルをそれぞれ組み合わせても良い。この場合でも、上述した実施の形態と同様の効果が得られる。
【００２９】
上述した実施の形態では、上部パネル２０及び下部パネル３０には木製の溝が設けられており、支柱４０に金属製で略T字形状の嵌合凸部４２を備えるものとしたが、支柱４０に木製の溝が設けられ、上部パネル２０及び下部パネル３０に金属製の略Ｔ字形状の嵌合凸部を備えるものとしても良い。この場合でも、上述した実施の形態と同様の効果が得られる。
【００３０】
上述した実施の形態では、貫通縦孔３６は２カ所、貫通横孔３８は３カ所に設けられるものとしたが、これに限定されるものではなく、１カ所であってもよく、４カ所以上であっても良い。また、貫通縦孔３６の数と貫通横孔３８の数は、同数であっても良く、異なる数であっても良い。貫通縦孔３６又は貫通横孔３８の数が増えれば増えるほど、下部パネル３０をより軽量化することができる。
【００３１】
上述した実施の形態では、貫通縦孔３６の断面は略円形形状であるものとし、貫通横孔３８の断面は略矩形形状であるものとしたが、貫通縦孔３６及び貫通横孔３８の形状はこれに限定されるものではなく、断面が略三角形状、略四角形状等の略多角形形状であっても良く、三角形状や四角形状等の多角形形状であっても良く、貫通縦穴３６及び貫通横孔３８の形状が同一形状であっても良いし、異なる形状であっても良い。この場合も、上述した実施の形態と同様の効果が得られる。
【００３２】
上述した実施の形態では、貫通縦孔３６及び貫通横孔３８は下部パネル３０に設けられるものとしたが、上部パネル２０に設けても良いし、上部パネル２０及び下部パネル３０の両方に備えられていても良い。また、貫通縦孔３６又は貫通横孔３８のいずれか一方のみが備えられていても良い。この場合も、上述した実施の形態と同様の効果が得られる。
【００３３】
上述した実施の形態では、嵌合凸部４２は上辺から下辺まで連続する略Ｔ字形状の金属製であるものとしたが、少なくとも一部の突部を有していればこれに限定されるものではなく、例えば、辺の一部にのみ突部を有していても良いし、木材製であってもよい。この場合であっても、上述した実施の形態と同様の効果が得られる。
【００３４】
上述した実施の形態では、ビス５０は、雄部５２と雌部５４との２つの部材からなるものとしたが、この組み合わせに限定されるものではなく、嵌合凹部２２又は嵌合凹部３２と嵌合凸部４２とを固定できるものであればよい。例えば、ビス５０は、ボルトとナットであっても良く、木材製や金属製等のねじであっても良く、鋼線等であっても良い。
【図面の簡単な説明】
【００３５】
【図１】図１は、本発明の間仕切り壁の組み合わせの一例を示す斜視図である。
【図２】図２は、本発明の間仕切り壁の分解斜視図である。
【図３】図３は、本発明の間仕切り壁を上面、正面、右面から見た３面図である。
【符号の説明】
【００３６】
１０  間仕切り壁、２０  上部パネル、２２  嵌合凹部、２４  連通孔、２６  ホワイトボード、３０  下部パネル、３２  嵌合凹部、３４  連通孔、３６  貫通縦孔、３８  貫通横孔、４０  支柱、４２嵌合凸部、４４  連通孔、５０  ビス、５２  雄部、５４  雌部。
【図１】
2010095886.tif 000003
【図２】
2010095886.tif 000004
【図３】
2010095886.tif 000005